(57)【要約】      （修正有）【課題】望む内容物を収納することができる入れ物を付加することにより、入れ物に収納される内容物を別の容器に入れて携帯する必要がないだけでなく、時間と場所に関係なく、内容物を便利に利用できるようになってユーザーの利便性を向上させ、利用率を増大させることができる携帯電話ケースを提供する。【解決手段】携帯電話用ケース１０は、携帯電話が着脱される着脱部１９を有し、前記携帯電話を囲むカバー部１１；前記カバー部に備わって、内容物を収納する収納部を形成する一つ以上の入れ物；及び前記入れ物に着脱され、前記入れ物の収納部を開閉するキャップ４１を含むことを特徴とする。【選択図】図１
0003209007.tif 000002
【実用新案登録請求の範囲】
【請求項１】
携帯電話が着脱される着脱部を有し、前記携帯電話を囲むカバー部；
前記カバー部に備わって、内容物を収納する収納部を形成する一つ以上の入れ物；及び
前記入れ物に着脱され、前記入れ物の収納部を開閉するキャップを含む、携帯電話ケース。
【請求項２】
前記入れ物の収納部に収納されて内容物を貯留する貯留部材をさらに含む、請求項１に記載の携帯電話ケース。
【請求項３】
前記入れ物又は前記キャップに備わって、前記入れ物に収納された前記内容物が漏洩することを防止するシール部材を含む、請求項１に記載の携帯電話ケース。
【請求項４】
前記入れ物と前記キャップは螺合するか、又は嵌め合う、請求項１に記載の携帯電話ケース。
【請求項５】
前記カバー部に備わって、前記カバー部を装飾する装飾部材をさらに含む、請求項１に記載の携帯電話ケース。
【請求項６】
前記カバー部に形成された複数の結合孔；及び
前記入れ物から突出して、前記複数の結合孔に選択的に結合する結合具を含む、請求項１に記載の携帯電話ケース。
【請求項７】
前記複数の結合孔に選択的に結合される補助結合具を有し、前記カバー部を装飾する装飾部材をさらに含む、請求項６に記載の携帯電話ケース。
【請求項８】
前記入れ物と前記キャップは透明の材質からなる、請求項１に記載の携帯電話ケース。
【考案の詳細な説明】
【技術分野】
【０００１】
本考案は、携帯電話ケースに関するもので、より詳細には、さまざまな内容物を収納することができる多用途の入れ物が備わる携帯電話ケースに関するものである。
【背景技術】
【０００２】
一般的に、携帯電話は通信技術の発展により、利用者が携帯しながら便利に使用できる通信端末として、ほとんどの人が必需品として携帯している。
【０００３】
携帯電話を保護するために、人々は、携帯電話ケースを使用する。携帯電話ケースは、携帯電話の傷、破損等の外部の衝撃による外観の毀損を保護する役割をする。
【０００４】
携帯電話ケースは、単に携帯電話を保護する役割や、デザイン的な役割のみしかなく、用途の活用性が低い方である。
【０００５】
一方、コンタクトレンズを着用する携帯電話のユーザーの場合、外出時のコンタクトレンズの洗浄のために、別途コンタクトレンズの洗浄容器を携帯するため、不便をもたらすという問題がある。
【０００６】
本出願人は、携帯電話を保護する役割に加えて、機能性を付加して、さまざまな用途にも活用できる携帯電話ケースを開発するに至った。
【考案の概要】
【考案が解決しようとする課題】
【０００７】
本考案は、前記問題を解決するものであり、本考案は、望む内容物を収納することができる入れ物を付加することにより、入れ物に収納される内容物を別の容器に入れて携帯する必要がないだけでなく、時間と場所に関係なく、内容物を便利に利用できるようになってユーザーの利便性を向上させ、利用率を増大させることができる携帯電話ケースを提供することを目的とする。
【課題を解決するための手段】
【０００８】
本考案の目的は、携帯電話が着脱される着脱部を有し、前記携帯電話を囲むカバー部；前記カバー部に備わって、内容物を収納する収納部を形成する一つ以上の入れ物；及び前記入れ物に着脱され、前記入れ物の収納部を開閉するキャップを含む、携帯電話ケースによって達成することができる。
【０００９】
ここで、前記入れ物の収納部に収納されて内容物を貯留する貯留部材をさらに含むことができる。
【００１０】
前記入れ物又は前記キャップに備わって、前記入れ物に収納された前記内容物が漏洩することを防止するシール部材を含むことができる。
【００１１】
前記入れ物と前記キャップは螺合するか、又は嵌め合うことができる。
【００１２】
前記カバー部に備わって、前記カバー部を装飾する装飾部材をさらに含むことができる。
【００１３】
前記カバー部に形成された複数の結合孔；及び前記入れ物から突出して、前記複数の結合孔に選択的に結合する結合具を含むことができる。
【００１４】
前記複数の結合孔に選択的に結合される補助結合具を有し、前記カバー部を装飾する装飾部材をさらに含むことができる。
【００１５】
前記入れ物と前記キャップは透明の材質からなることができる。
【考案の効果】
【００１６】
本考案によれば、望む内容物を収納することができる入れ物を付加することにより、入れ物に収納される内容物を、別の容器に入れて携帯する必要がないだけでなく、時間と場所に関係なく、内容物を便利に利用できるようになってユーザーの利便性を向上させ、利用率を増大させることができる。
【図面の簡単な説明】
【００１７】
【図１】本考案の一実施形態に係る携帯電話ケースの斜視図である。
【図２】図１の分解斜視図である。
【図３】図１の背面斜視図である。
【図４】図１の入れ物の縦断面図である。
【図５】本考案の他の実施形態に係る携帯電話ケースの斜視図である。
【図６】図５の分解斜視図である。
【図７】図５の背面斜視図である。
【図８】図５の入れ物の縦断面図である。
【考案を実施するための形態】
【００１８】
本考案の利点および特徴、そしてこれらを達成する方法は、添付する図面とともに、詳細に後述されている実施形態を参照すると明確になる。しかし、本考案は、以下に開示される実施形態に制限するのではなく、互いに多様な形態で具現でき、単に本実施形態は、本考案の開示が完全であるようにし、本考案に属する技術分野の通常の技術者に、本考案の範疇を完全に知らせるために提供されるものであり、本考案は請求項の範疇によって定義されるだけである。
【００１９】
本明細書にて使用される用語は、実施形態を説明するためのものであり、本考案を制限するものではない。本明細書で単数型は、特に言及しない限り、複数型も含む。明細書にて使用される「含む（ｃｏｍｐｒｉｓｅｓ）」および／または「含んでいる（ｃｏｍｐｒｉｓｉｎｇ）」は、言及された構成要素外に一つ以上の他の構成要素の存在または追加を排除しない。明細書全体にわたって同一図面符号は、同一構成要素を指称し、「および／または」は、言及された構成要素の各々および一つ以上の全ての組合せを含む。例えば「第１の」，「第２の」などは多様な構成要素を叙述するために使用されるが、これら構成要素は、これら用語によって制限されない。これらの用語は、単に一つの構成要素を他の構成要素と区別するために使用されるものである。従って、以下、言及される第１の構成要素は、本考案の技術的思想内で第２の構成要素でありえる。
【００２０】
他に定義がなければ、本明細書にて使用される全ての用語（技術および科学的用語を含む）は、本考案に属する技術分野の通常の技術者に共通的に理解できる意味として使用されることができる。また、辞書にて定義された一般的に使用される用語は、特に明確な定義をしない限り、過度に解釈されない。
【００２１】
以下、添付する図面を参照して、本考案について詳細に説明する。
【００２２】
説明する前に、いくつかの実施形態において、同一の構成を有する構成要素については、同一符号を使用して代表的に一実施形態で説明し、その他の実施形態では、一実施形態と異なる構成についてのみ説明する。
【００２３】
また、以下、入れ物に収納される内容物として、コンタクトレンズ洗浄液について説明するが、これに限定されず、内容物としてリップグロス、口紅、アイシャドウ、頬紅などの化粧品、薬品などが適用されることをあらかじめ明らかにしておく。
【００２４】
図１乃至図４は、本考案の一実施形態に係る携帯電話用ケースが示されている。
【００２５】
これらの図面に示すように、本考案の一実施形態に係る携帯電話ケース１０は、カバー部１１、入れ物２１、キャップ４１を含む。
【００２６】
カバー部１１は携帯電話を囲んで、携帯電話を保護する役割をする。カバー部１１はベース１３と着脱部１９を含む。
【００２７】
ベース１３は板状を有し、携帯電話の背面を囲む。
【００２８】
着脱部１９は、ベース１３の縁に沿って、携帯電話の厚さに対応する高さに曲げて延長形成され、携帯電話が着脱される。
【００２９】
入れ物２１は、一側が開口された円筒形状を有する。入れ物２１はカバー部１１のベース１３に備わる。入れ物２１はベース１３に一体に形成されるか、または後述するようにベース１３に着脱されることもできる。
【００３０】
入れ物２１の内側には、内容物としてコンタクトレンズ洗浄液３が収納される収納部２３が形成されている。
【００３１】
そして、入れ物２１の収納部２３には貯留部材２５が収納されることができる。貯留部材２５としてスポンジまたは緩衝材などが用意されることができ、貯留部材２５としてスポンジが備わる場合、内容物がコンタクトレンズ洗浄液３の場合スポンジはコンタクトレンズ洗浄液３を帯びて貯留する役割をする。
【００３２】
入れ物２１の外周には、キャップ４１と螺合する雄ネジ２７が形成されている。また、キャップ４１の外周には、シール部材としてリング状のＯリング２９が装着されている。Ｏリング２９は、入れ物２１とキャップ４１との間の気密を保って、これにより入れ物２１に収納されたコンタクトレンズ洗浄液３が入れ物２１とキャップ４１との間の隙間に漏洩されることを防止する。
【００３３】
ここで、本実施形態では、一対の入れ物２１が備わることが示されているが、入れ物２１の数量はこれに限定されず、一つまたは三つ以上備わることができる。
【００３４】
キャップ４１は、一側が開口された円筒形状を有し、入れ物２１に着脱されて入れ物２１の収納部２３を開閉する。キャップ４１の内周には、入れ物２１のおねじ２７と螺合するめねじ４３が形成されている。
【００３５】
これにより、キャップ４１が入れ物２１に  螺合することによって、入れ物２１の収納部２３を閉鎖する。
【００３６】
ここで、本実施形態では、入れ物２１とキャップ４１が螺合することで説明しているが、これに限定されず、図示されていないが、入れ物２１とキャップ４１は雌雄の形態で嵌め合うことができる。
【００３７】
上記した入れ物２１とキャップ４１は、入れ物２１に収容された内容物の種類及び内容物の保管状態を外部から肉眼で容易に確認できるように、透明の材質からなることができる。
【００３８】
一方、本考案の一実施形態に係る携帯電話ケース１０は、カバー部１１を装飾するための装飾部材をさらに含むことができる。
【００３９】
本実施形態では、装飾部材として人の頭の形状を有する第１の装飾部材５１ａと、口ひげの形状を有する第２の装飾部材５１ｂを含む。
【００４０】
カバー部１１のベース１３と第１の装飾部材５１ａとの間には、くし９を収納するための収納空間が形成されている。また、第１の装飾部材５１ａの表面にはミラーが備わる。ここで、第１の装飾部材５１ａは、収納スペースなしカバー部１１のベース１３に一体に形成されることができる。
【００４１】
このように、一対の入れ物２１を挟んでカバー部１１の上部領域に第１の装飾部材５１ａを配置して、カバー部１１の下部領域に第２の装飾部材５１ｂを配置することにより、本考案の一実施形態に係る携帯電話ケース１０のカバー部１１は、全体的に人の顔の形状に装飾され、携帯電話ケース１０はユニークなデザインを生み出すことになる。
【００４２】
このような構成によって、携帯電話が装着された携帯電話ケース１０のカバー部１１の各入れ物２１の収納部２３にコンタクトレンズ洗浄液３を収納した後、キャップ４１にて入れ物２１の収納部２３を閉鎖することにより、別のコンタクトレンズの洗浄容器を携帯する必要がなくなる。
【００４３】
したがって、本考案の一実施形態に係る携帯電話ケース１０が装着された携帯電話のみを携帯すればなるので、時間と場所に関係なく、コンタクトレンズ洗浄液３にてコンタクトレンズ５を便利に洗浄することができ、ユーザーの利便性が向上されて、携帯電話ケース１０の利用率も向上させることができる。
【００４４】
一方、図５乃至図８は、本考案の他の実施形態に係る携帯電話ケースが示されている。本考案の他の実施形態に係る携帯電話ケース１０′は、前述した一実施形態とは異なり、入れ物２１と各装飾部材５１ａ、５１ｂがベース１３に着脱される構造を有する。
【００４５】
本考案の他の実施形態に係る携帯電話ケース１０′のカバー部１１のベース１３には、複数の結合孔１５が貫通形成されている。各結合孔１５は、カバー部１１のベース１３に規則的にまたは不規則的に形成されることができる。
【００４６】
また、入れ物２１には、複数の結合孔１５に選択的に嵌め合う結合具３１が備わる。結合具３１は、カバー部１１のベース１３に向かう入れ物２１の底面から結合孔１５の深さに対応する長さに突出して形成される。
【００４７】
そして、第１の装飾部材５１ａと第２の装飾部材５１ｂには、複数の結合孔１５に選択的に嵌め合う補助結合具５５が備わる。補助結合具５５は、カバー部１１のベース１３に向かう各装飾部材５１ａ、５１ｂの底面から結合孔１５の深さに対応する長さに突出して形成される。
【００４８】
これにより、本考案の他の実施形態に係る携帯電話ケース１０′は、前述した一実施形態と同様に、入れ物２１にコンタクトレンズ洗浄液３を収納した場合、時間と場所に関係なく、コンタクトレンズ洗浄液３にコンタクトレンズ５を便利に洗浄することができ、ユーザーの利便性が向上し、携帯電話のケース１０′の利用率も向上させることができる。
【００４９】
また、カバー部１１のベース１３に複数の結合孔１５を形成して、入れ物２１及び各装飾部材５１ａ、５１ｂに複数の結合孔１５に選択的に嵌め合う結合具３１及び補助結合具５５を形成することにより、入れ物２１及び各装飾部材５１ａ、５１ｂをカバー部１１の望む位置に自由に配置することができ、デザインの自由度を向上させることができる。
【００５０】
以上、添付された図面を参照して、本考案の実施形態を説明したが、本考案に属する技術分野の通常の技術者は、本考案がその技術的思想や必須的な特徴を変更しないで、他の具体的な形態へ実施できることを理解できるだろう。従って、以上にて記述した実施形態は、全ての面で例示的なものであり、制限的でないこととして理解すべきである。
【符号の説明】
【００５１】
１０，１０′：携帯電話ケース
１１：カバー部
１３：ベース
１５：結合孔
１９：着脱部
２１：入れ物
２３：収納部
２５：貯留部材
３１：結合具
４１：キャップ
５１ａ，５１ｂ：装飾部材
５５：補助結合具
【図１】
0003209007.tif 000003
【図２】
0003209007.tif 000004
【図３】
0003209007.tif 000005
【図４】
0003209007.tif 000006
【図５】
0003209007.tif 000007
【図６】
0003209007.tif 000008
【図７】
0003209007.tif 000009
【図８】
0003209007.tif 000010